(57)【要約】【課題】  ファックス受信による出力（従来、ファックス受信画像は黒一色で出力）を他の機能による出力と容易に識別でき、トナーエンドを起こし難いものとする。【解決手段】    ＰＣ（プロセス カートリッジ）ユニットをＫＣＭＹ４連タンデム作像方式の画像形成部に用いるカラー複写機をベースにした多機能機において、ファックス受信画像を選択された色で印刷出力することを可能にする。操作部のＬＣＤタッチパネルの入力画面（図４）でＫＣＭＹから任意の色を入力ＦＡＸ画像の出力色とし、優先順位を決めて複数の設定を可能とする。出力色の設定は対応するＫＣＭＹの各ＰＣユニットに付設した不揮発性のメモリタグに保存され、ＦＡＸ画像の出力時に本体制御部が動作させるＰＣユニットの制御に用いる。ファックス受信画像を選択された色で印刷出力すること可能になり、出力に識別性を与え、トナーエンドを回避し得る。【選択図】          図４
2006086919.tif 000002
【特許請求の範囲】
【請求項１】
画像データをもとにカラー構成色分のプロセスユニットを用いて記録媒体へ画像を形成する画像形成部と、ファックス受信部を有し、受信したファックス画像データをもとに前記画像形成部によって記録媒体への印刷を可能とした画像形成装置であって、前記プロセスユニット内に保存された受信ファックス出力可否情報に従って、動作させるプロセスユニットを指示する制御手段を備えたことを特徴とする画像形成装置。
【請求項２】
請求項１に記載された画像形成装置において、前記受信ファックス出力可否情報とともに出力順位を付与するようにし、前記制御手段は、付与された出力順位に従ってプロセスユニットを動作させる制御を行うようにしたことを特徴とする画像処理装置。
【請求項３】
請求項１又は２に記載された画像形成装置において、記録媒体の給紙トレイが複数装備され、前記制御手段は、前記給紙トレイ毎にプロセスユニットに対する前記動作制御を行うようにしたことを特徴とする画像形成装置。
【請求項４】
請求項１乃至３のいずれかに記載された画像形成装置において、操作部が装備され、前記受信ファックス出力可否情報および前記出力順位の少なくとも一方を前記操作部から任意に設定し得るようにしたことを特徴とする画像形成装置。
【請求項５】
請求項１乃至４のいずれかに記載された画像形成装置において、前記プロセスユニットが本体に着脱可能なプロセスカートリッジであることを特徴とする画像形成装置。
【請求項６】
請求項１乃至５のいずれかに記載された画像形成装置において、プロセスユニット内にデータ保存部が装備され、前記受信ファックス出力可否情報及び前記出力順位の少なくとも一方を前記データ保存部に保存するようにしたことを特徴とする画像形成装置。
【請求項７】
請求項６に記載された画像形成装置において、前記データ保存部が不揮発性のメモリであることを特徴とする画像形成装置。
【発明の詳細な説明】
【技術分野】
【０００１】
本発明は、ファックス機能を有する画像形成装置（例えば、ファックス、コピー、プリンタ等の多機能を備えたＭＦＰ機等）に関し、カラー構成色分のプロセスユニットを用いてカラー印刷を行うことが可能な上記画像形成装置におけるファックス受信画像を設定した色で出力する印刷出力制御に関する。
【背景技術】
【０００２】
今日、ＭＦＰ機と呼ばれる複写機をベースに多機能化した画像形成装置は、一般的にファックス機能が付加されている。ファックス送信は、送る側の意に従うので、受ける側は常時受信態勢にあり、ファックス受信データのプリント出力についても、普通、受信時に即時に行われる。このために他の機能によるプリント出力との間で競合関係が生じ、不具合が起きる場合がある。下記特許文献１〜３に示す例は、この不具合を無くすことを課題とし、課題の解決を図るための提案を行ったものである。
特許文献１記載の画像形成装置は、コピー、ファックス、プリンタの各機能を利用して画像形成が行われた場合に、コピーとファックス、プリンタとによる記録紙を仕分けして排出するものである。
また、特許文献２記載の画像形成装置は、ホストコンピュータからの画像が形成された用紙とＦＡＸ受信画像が形成された用紙の仕分けを可能にするもので、それぞれの画像に対し、給紙部及び排紙部を特定することにより仕分けるようにしている。
また、特許文献３記載の画像形成装置は、ＦＡＸ受信画像が形成された記録紙を他の機能を用いたものと判別することを可能にするもので、ＦＡＸ受信画像においてヘッダ部分をそれ以外の画像部分と異なる色で画像形成するようにしている。
【特許文献１】特開平６−３０１８５号公報
【特許文献２】特開平７−１７７２９１号公報
【特許文献３】特開平９−５１３８８号公報
【発明の開示】
【発明が解決しようとする課題】
【０００３】
ところで、カラー画像を形成可能とした、ファックス機能を有するＭＦＰ機であっても、ＦＡＸ受信データの出力は、現状では、モノクロ、即ちＫトナー単色で出力する。従って、カラーＭＦＰ機は、通常使用においてもモノクロＫトナーは、他色のトナーよりもその消費量が多いうえ、さらにファックス受信出力によりその消費量が増すことになる。
特に、ファックス受信機能においては、コピーやプリンタ機能を利用する場合と異なり、使用者がリアルタイムにその異常を認識できない状況で用いられる。このため、例えば、人が不在になる夜間等のファックス受信出力時に、モノクロＫトナーがトナーエンドとなった場合は、出力が中止されたままにおかれる。このような場合、通常、ファックス機能としてもつメモリ受信による受信データを、一旦ＨＤ等に蓄積可能とするので、受信データの消失はない。しかしながら、トナーエンドリカバリー後、ＨＤ等に蓄積された受信データの出力が行われると、この出力により、ＭＦ機が占有され、他の機能が使用できない、という状況になってしまう。また、こうした状況では、最悪の場合、受信データ蓄積用のメモリが受信データで満杯となり、受信不可となることも考えられる。
ファックス機能を有するカラーＭＦＰ機等のファックス受信において生じる上記のような問題点を解決する有効な手段について、これまでに提案されておらず、未解決の課題である。また、ＰＣ（プロセス カートリッジ）ユニットをＫＣＭＹ４連タンデム作像方式で用いるカラー画像形成装置を対象にした、この課題へのアプローチもなされていない。
【０００４】
また、上記特許文献１〜３は、ファックス機能を有するカラーＭＦＰ機においても生じ得る不具合を解決するための手段として提案されたものである。
しかしながら、特許文献１記載の画像形成装置によると、特定の排紙部に排出する構成では特別な排紙部等が必要で、システム構成が複雑となる。又ソータを装備している場合は、各ビン毎に排出する記録紙を区別する手段等も知られるが、同様にソータを装備した    システムにおいてのみ、その機能が達成されるといった問題が残る。
また、特許文献２記載の画像形成装置によると、特定の給紙部から給紙させる場合は、記録紙の種類を複数用意することで容易に出力形態が認識可能となるが、記録紙を複数用意するデメリットを伴う。又、ファックスにおいては使用者が不在での受信が当然起きるが、この状態で特定給紙部の記録紙が消耗した場合、ファックス機能すら実現できない。
また、特許文献３記載の画像形成装置によると、先にも記述した通り、ファックスにおいては使用者が不在の状態で受信データを記録紙に記録する場合がほとんどである。従って、特定の色だけで記録する場合、当然その特定のトナー色の消耗が著しくなるので、トナーエンドの発生に対する改善にはならない。
本発明は、上述の従来技術の問題に鑑み、これを解決するためになされたもので、ファックス機能を有し、カラー構成色分のプロセスユニットを用いてカラー印刷を行うことが可能な画像形成装置において、ハード構成を変更することなく、ファックス受信による出力画像を他の機能による出力画像と容易に識別できるようにし、しかもトナーエンドを起こし難い画像出力を行うようにすることを、解決すべき課題とする。
【課題を解決するための手段】
【０００５】
請求項１の発明は、画像データをもとにカラー構成色分のプロセスユニットを用いて記録媒体へ画像を形成する画像形成部と、ファックス受信部を有し、受信したファックス画像データをもとに前記画像形成部によって記録媒体への印刷を可能とした画像形成装置であって、前記プロセスユニット内に保存された受信ファックス出力可否情報に従って、動作させるプロセスユニットを指示する制御手段を備えた画像形成装置により、課題の解決を図る。
【０００６】
請求項２の発明は、請求項１に記載された画像形成装置において、前記受信ファックス出力可否情報とともに出力順位を付与するようにし、前記制御手段は、付与された出力順位に従ってプロセスユニットを動作させる制御を行うようにしたことを特徴とするものである。
請求項３の発明は、請求項１又は２に記載された画像形成装置において、記録媒体の給紙トレイが複数装備され、前記制御手段は、前記給紙トレイ毎にプロセスユニットに対する前記動作制御を行うようにしたことを特徴とするものである。
請求項４の発明は、請求項１乃至３のいずれかに記載された画像形成装置において、操作部が装備され、前記受信ファックス出力可否情報および前記出力順位の少なくとも一方を前記操作部から任意に設定し得るようにしたことを特徴とするものである。
【０００７】
請求項５の発明は、請求項１乃至４のいずれかに記載された画像形成装置において、前記プロセスユニットが本体に着脱可能なプロセスカートリッジであることを特徴とするものである。
請求項６の発明は、請求項１乃至５のいずれかに記載された画像形成装置において、プロセスユニット内にデータ保存部が装備され、前記受信ファックス出力可否情報及び前記出力順位の少なくとも一方を前記データ保存部に保存するようにしたことを特徴とするものである。
請求項７の発明は、請求項６に記載された画像形成装置において、前記データ保存部が不揮発性のメモリであることを特徴とするものである。
【発明の効果】
【０００８】
請求項１〜４の発明によると、カラー構成色から選択された色でファックス受信画像を印刷可能としたので、ファックス受信出力をコピー等の他の機能を用いた出力と容易に識別でき、多機能の出力画像が混じり合っても、仕分けがし易くなり、しかもこの機能を新たなハードウェア構成を要せずに実現できる。
また、複数色を選択可能としたので、単一色での受信出力に比較し、多量の受信出力が可能となり、夜間等比較的ユーザがその異常に気づかないファックス動作においても、トナーエンドが起こり難く、異常を回避できる（請求項２）。
また、記録媒体の給紙トレイに有色の記録媒体を用いた場合にも、記録媒体と補色関係にある色を選択することにより、読み易い出力とすることが可能になる（請求項３）。
また、ユーザが意図した設定ができるので、ファックス受信画像の色選択の効果をさらに向上することが可能になる（請求項４）。
さらに、請求項５〜７の発明によると、カラー構成色分のプロセスユニット、特に本体に着脱可能なプロセスカートリッジ、を用いてカラー印刷を行うことが可能な画像形成装置において、色選択によるファックス受信画像出力の最適動作が可能になる。
【発明を実施するための最良の形態】
【０００９】
以下に、本発明の画像形成装置に係わる実施形態を示す。なお、本実施形態は、ファックス機能を備えたＭＦＰ機（複写装置をベースに、ファックス、プリンタ等の機能を複合させた多機能機）に適用した例を示す。
図１は、本実施形態に係わるＭＦＰ機の制御システムの概略構成を示す図である。
図１を参照して、制御システムの構成要素及びその動作について、以下に説明する。
ＣＰＵ１は、原稿を読み取り、画像出力（画像形成）に用いることが可能なデータに処理する画像処理、画像形成部における画像の書き込み及びこれらの画像処理に必要となるメカの動作を含むＭＦＰ機全体の動作機能を制御する。ＣＰＵ１から各周辺機能に結ばれたＡ／Ｄ（アドレス／データ）バスによって、ＣＰＵ１は、適宜必要なアドレスのデータのセット及び取り込みを行なう。また、ＣＰＵ１は、制御用のワークメモリ領域であるＲＡＭ、制御用プログラムやデータを格納するＲＯＭおよび各種のアナログ入力をデジタル化するＡ／Ｄ変換機能等を内蔵する。
ＮＶ−ＲＡＭ３は、機器固有の調整値等の継続的に使用するデータを電源ＯＦＦ後も保持する不揮発メモリである。ＬＣＤタッチパネル９は、サイズ６４０×４８０のドットサイズの液晶表示領域を持ち、表示画面でユーザと対話しながら、動作モードの設定操作を行うために、タッチパネルによる入力を受け付ける。ＶＧＡ／Ｖ−ＲＡＭ２は、ＬＣＤタッチパネル９の表示データのメモリ及びメモリコントローラとして機能する。
ＰＩ／Ｏ７は、モータ等の出力部品へのＯＮ／ＯＦＦ出力及びセンサー等の入力部品からのセット／リセット入力用のポートである。
【００１０】
ＳＣＵ（スキャナコントロールユニット）１１は、ＳＣＵ内のスキャナ（ＣＣＤ）で原稿を読み取って、得たＲＧＢ画像データの量子化（スキャンγ変換等を含む）及び変倍を行なう。
ＩＰＵ（イメージプロセシングユニット）１３は、書き込み用のＫＣＭＹデータへの変換、及び画像データの編集機能を持つ。即ち、ＳＣＵ１１からのＲＧＢ画像データを画像形成部の感光体への書き込みに用いるＫＣＭＹデータへ変換し、設定されたモードにより必要な場合には、画像データに集約（合成）等の編集処理を施す。また、ＩＰＵ１３は、ＳＣＵ１１からのＲＧＢ画像データをＬａｂ等の色空間に変換し、通信インタフェースを持つ外部コントローラ（図示せず）に出力する。
ＧＡＶＤ１５は、ＩＰＵ１３で作成されたＫＣＭＹ画像データ、及び外部コントローラが受け取ったプリント出力を要求して外部機から送られてきた画像データを本機の作像システムに適合するデータとするために、γ変換等を行ない、書き込み用のＫＣＭＹデータを作成する。
ＬＤ１７は、書き込みデータを入力とし電流制御でＬＤ（レーザダイオード）出力をコントロールすることにより、感光体上に作像を行い（後述する、図３の画像形成部に関する説明、参照）、現像、定着等のプロセスを経て、入力画像データを可視像として再現する。なお、図１中に示す太い矢印は、画像データの流れを示し、コピー出力時には、ＳＣＵ１１からＬＤ１７にかけて示す太い矢印のフローに沿って処理される。
ＳＩ／Ｏ６は、外部コントローラとＣＰＵ１とのコマンド入出力用の通信機能を持つ。従って、ＳＩ／Ｏ６によって受け取った、外部コントローラからのプリント及びファックス送受信動作コマンド等が渡されるＣＰＵ１は、これらのコマンドに従った動作を制御下の各動作部に指示し、所期の画像出力を行うことが可能になる。また、本実施形態では、ＳＩ／Ｏ６を通して、ＣＰＵ１は、ＰＣ（プロセスカートリッジ）ユニットに付設したメモリタグとの間でＰＣを管理するデータの転送を行う。なお、ＰＣの管理については、後記で詳述する。
外部コントローラは、独自に入出力画像データを一旦保存する画像フレームメモリ、多量且つ長期保持するＨＤＤ（ハードディスクドライブ）及びＨＤＤコントロールを記憶装置として有し、また、通信インタフェースとして、ファックス入出力用のモデム、ネットワーク端子としてのＮＩＣ（ネットワークインタフェースコントローラ）を有する。
【００１１】
ここで、ユーザがＭＦＰ機に対して、動作の指令入力や動作条件等の設定入力を行う操作部について説明する。
図２は、操作部の操作パネルの１例を示す。図２を参照すると、操作パネルの中央には、ＬＣＤ（液晶表示）タッチパネル９を設けている。ＬＣＤタッチパネル９には、モード設定時の入力画面が表示され、表示された画面への操作により設定モードの選択が可能となる。
ＬＣＤタッチパネル９の左側のキー群は、ファックスの設定用のキー群である。０１〜２８が付されたキー群２４は、相手先ダイアルの短縮キー（所謂ワンタッチダイヤルキー）で、２８の相手先をキー操作により指定が可能である。Ｆ１〜Ｆ５として示されるキーは、同様にファックス用特殊機能（スタンプ設定等）を指定又は有効にするキーである。文字サイズキー２５は、キー入力で送信する文字サイズの解像度を選択するキーである。送信モードキー２６は、送信のための読み取ったデータを一旦、外部コントローラの前記ＨＤＤ等に蓄積するか、否かを指定するキーである。文字サイズキー２５、送信モードキー２６は、それぞれ選択した設定をランプの点灯により指示するようにしている。
ＬＣＤタッチパネル９の右側のキー群において、スタートキー２０は、コピー及びファックス読み取りの実行を指令するキーである。クリア／ストップキー２２は、実行中のコピー及びファックス読み取りを中断するキーである。テンキー群２１の（０〜９）は、コピーの部数及びファックス電話番号等を設定するキーである。なお、テンキー群２１の（・／＊）及び（＃）キーは、特殊入力キーで設定の確認キー等として使用する。コピー、プリンタ、ファックスの各キー２３は、優先機能を指定するキーである。割り込みキー２９は、実行中動作を一旦中断し、他のモードでの動作を実行するためのキーである。プログラムキー２８は、予め指定した使用頻度の高い設定モード等を、設定するためのキーである。初期設定キー２７は、使用者が機器を有効に使用するための各種機能の設定を確認するためのキーである。
【００１２】
次に、本実施形態における画像形成部について説明する。
本実施形態の画像形成部は、４連ドラムのタンデム作像方式を採用し、また作像部に装置本体に対し着脱可能にＰＣ（プロセスカートリッジ）ユニットを装備するものものである。ＰＣユニットは、消耗部品を中心に部品を集合させ、管理を容易にすることを１つの目的として開発されたものである。本実施形態のＰＣユニットは、感光体、帯電手段、現像手段、クリ−ニング手段等を一体に結合し、ＫＣＭＹの色毎にユニットを構成する。また、各ＰＣユニットは、各々のストッパーを解除することにより外すことが可能で、消耗したユニットだけを交換できる。
図３は、本実施形態の４連ドラムのタンデム作像方式を採用したＰＣユニット周りの画像形成部の構成を示す。
図３に示すように、用紙搬送方向（図中に矢印で示す）順に右下から、ＭＣＹＫの色順にＰＣユニット３５Ｍ、３５Ｃ、３５Ｙ、３５Ｋが配置されている。なお、ＰＣユニット３５Ｍ、３５Ｃ、３５Ｙ、３５Ｋは、配置と色の関係は固定である。即ち、各色により非互換となっており色間の入れ替えはできない。
書き込みユニット３１は、４連ドラムのタンデム作像方式であるから、ＰＣユニット３５Ｍ、３５Ｃ、３５Ｙ、３５Ｋの各感光体ドラムに同時にＬＤによる書き込みができる構成となっている。
各感光体ドラムに書き込まれた静電潜像は、ＰＣユニット内の各現像手段によって現像され、現像されたトナー像は、転写位置で記録用紙に転写される。
転写ユニット３２も、ＰＣユニット３５Ｍ、３５Ｃ、３５Ｙ、３５Ｋと同様に、斜め方向にレイアウトされており、記録用紙を右下から搬送しながら、ＰＣユニット３５Ｍ、３５Ｃ、３５Ｙ、３５Ｋの各感光体ドラム上のトナー画像を用紙に転写する。１回の通紙で、各感光体ドラムから記録用紙への転写が完了する。
【００１３】
ところで、ＰＣユニット３５Ｍ、３５Ｃ、３５Ｙ、３５Ｋは、各ユニットを独立に管理可能にすることがユニット化の１つの目的であり、そのために、各ユニットを管理するための情報をユニット自身に保存しておく方法をとっている。本実施形態では、この管理情報は、ＰＣユニット３５Ｍ、３５Ｃ、３５Ｙ、３５Ｋそれぞれに取り付けた不揮発性のメモリタグ３６Ｍ、３６Ｃ、３６Ｙ、３６Ｋで保存され、ＰＣユニットの管理に必要な情報をここから取り出して利用し、或いは利用に供せられる情報の入力を行い、保存することができるようにしている。
不揮発性のメモリタグ３６Ｍ、３６Ｃ、３６Ｙ、３６Ｋは、ＰＣユニット側に取り付けられ、ＰＣユニットは、装置本体に着脱可能とされているので、装置本体へ装着した時に、メモリタグが装置本体と通信が可能な状態になるような接続方法にする必要がある。
本実施形態に用いる不揮発性のメモリタグとして、読み書きが可能な２線式（Ｉ２ＣＢＵＳ）シリアルＥＥＰＲＯＭを使用することが可能である。２線式シリアルＥＥＰＲＯＭは、装置本体の制御部であるＣＰＵ１から供給された、ＳＣＬ（シリアルクロック入力）に同期してデータの入出力を行なうもので、８Ｂｉｔ単位で信号の送受信が行われる。
メモリタグ３６に記憶し、管理される情報としては、ＰＣユニットの制御に必要な、露光量、帯電量、現像バイアスなどの作像条件のほか、カートリッジＩＤ，製造年月日、使用開始年月日、リサイクル回数、コピー枚数、現在の年月日等が有用である。メモリタグ３６に保存される、制御に必要な設定データ等の可変情報は、装置本体側で設定が変更されると、メモリタグ３６に記憶された情報も書き換えられる。
【００１４】
次に、上記したカラーＭＦＰ機におけるファックス受信画像の印刷出力制御に係わる実施形態を説明する。
以下に示す実施形態は、従来、ファックス受信画像の出力をＫ一色に固定した場合、多機能の出力画像が混じり合って出力された場合に仕分けが難しくなったり、トナーエンドが起き易くなる、という問題の解決を図ることを意図するものである。
このために、本実施形態では、ファックス受信画像を選択された色で印刷出力することを可能にし、出力に識別性を与え、トナーエンドを回避し得る手段とするものである。出力色は、カラー画像を構成（形成）するＫＣＭＹの中から選択し、任意に指定し得るようにする。
このような印刷出力を行うためには、ＭＦＰ機の制御システムは、画像形成部を制御して、指定された色を用いた画像形成動作を行わせなければならない。本実施形態では、図３に示したように、画像形成部をＰＣユニット３５Ｍ、３５Ｃ、３５Ｙ、３５Ｋとしてユニット化し、ＫＣＭＹの色毎に作像部を独立して動作させることが可能なシステムである。従って、任意に指定された色のＰＣユニットを動作させて、画像出力を行わせるのに好適である。
また、ＰＣユニット３５Ｍ、３５Ｃ、３５Ｙ、３５Ｋは、それぞれ不揮発性のメモリタグ３６Ｍ、３６Ｃ、３６Ｙ、３６Ｋを装備しているので、この制御動作に必要となる情報を保存する場所として利用することが可能である。つまり、不揮発性のメモリタグには、ＰＣユニットの制御に必要な情報が保存されているので、その中の１つとして、ファックス受信画像の出力色として指定されているか、否か、という情報（以下、この情報を「受信ファックス出力可否情報」と称する）を各々のメモリタグに書き込む。メモリタグに書き込まれた受信ファックス出力可否情報は、制御システムのＣＰＵ１が画像出力時に動作させるＰＣユニットを指定するために用いられる。指示されたＰＣユニットが形成動作に用いられるので、ＫＣＭＹの中から任意に選択された色の印刷出力制御を行うことが可能になる。
【００１５】
上記した方法によって、ＫＣＭＹの中から任意に選択された色で印刷出力制御を行うためには、不揮発性のメモリタグに制御情報（受信ファックス出力可否情報）を書き込む必要がある。
この手順は、操作部のＬＣＤタッチパネル９からのユーザーの設定入力によって行うことができるようにする。
図４は、ファックス受信画像に対する画像形成色を設定する入力画面の１例を示す。
図４に示す入力画面は、ファックス機能に関する設定メニューの中に用意される。
この入力画面では、「ブラック」，「シアン」，「マゼンタ」，「イエロー」の４色から画像形成色として使用する色を選択する操作を行う。ここでは、４色の中から選択する色を指定して、複数の設定をすることができるようにする。また、複数の設定には、優先順位を付ける。
図４の例では、第１優先色と第２優先色として２段階の優先順を指示できるようにしており、第１優先色として「ブラック」が選択されている。選択の入力は、「ブラック」という文字に対するタッチ操作により行い、操作が受け付けられたことを太字等の文字変化によって確認できるようにする。このとき、選択されなかった「ブラック」以外の色の表示を、文字変化のない状態で表示し、選択／非選択を明示する。
また、この例では、第２優先色として「マゼンタ」，「イエロー」が選択されている。なお、ここでは、マゼンタとイエローの混色を指定している（この場合、画像出力は赤になる）。「マゼンタ」，「イエロー」という文字に対するタッチ操作により入力された結果が、図４に示されている。「ブラック」は、既に第１優先色として選択されているので、半輝度状態で表示され、「シアン」は、非選択であるから、文字変化のない状態で表示され、「マゼンタ」，「イエロー」は、太字等の文字変化によって選択されたことが表示上から確認できるようにする。
入力操作が終了した後、入力画面の実行キーを押すことにより、設定を確定することができる。また、入力画面のキャンセルキーを押すことにより、入力を中止し、設定入力画面を閉じることができる。
【００１６】
上記したファックス受信画像に対する画像形成色の設定操作がユーザーによって行われると、制御システム（図１）のＣＰＵ１は、この操作による設定結果を、選択されたＫＣＭＹそれぞれのＰＣユニット３５Ｍ、３５Ｃ、３５Ｙ、３５Ｋに付設した不揮発性のメモリタグ３６Ｍ、３６Ｃ、３６Ｙ、３６Ｋに書き込み、管理する。このときに、ＫＣＭＹそれぞれのＰＣユニットに書き込まれる情報は、ファックス受信画像の印刷出力に用いるＰＣユニットであるか、否かを示す情報である。即ち、ＣＰＵ１が、ファックス受信画像の印刷出力を行う際に、設定によって選択されたＰＣユニットに動作を指示する制御情報（受信ファックス出力可否情報）として用いられるものである。従って、この受信ファックス出力可否情報は、ＰＣユニット３５Ｍ、３５Ｃ、３５Ｙ、３５Ｋそれぞれの不揮発性のメモリタグで管理されている情報の一部に書き加えられる。
メモリタグで管理されるこの受信ファックス出力可否情報は、ＭＦＰ機の電源立ち上げ時に行われる初期設定で、ＣＰＵ１が用いる制御データとして、制御システム内の例えば、ＮＶ−ＲＡＭ３に転送、保存される。
このように、ＰＣユニット毎に付設した不揮発性のメモリタグで３６Ｍ、３６Ｃ、３６Ｙ、３６Ｋ管理される受信ファックス出力可否情報を用いることによって、常に装着されたＰＣユニットに設定された動作条件に従った制御が行われる。また、ＰＣユニットの不揮発性メモリタグで受信ファックス出力可否情報を保存するので、本体側のＮＶ−ＲＡＭ３が不慮に変更されても、情報の消失を回避することができるため、ユーザーが設定した画像色による画像形成動作が維持される。
【００１７】
制御システム内に保存された受信ファックス出力可否情報は、ファックス受信データの印刷出力が行われる時に、制御システムのＣＰＵ１が画像出力時に動作させるＰＣユニットを特定するために用いられる。
動作させるＰＣユニットが特定されると、ＣＰＵ１は、特定されたＰＣユニットを動作させるために必要な画像データの処理をＧＡＶＤ１５に指示する。即ち、設定された印字色の各色成分（Ｋ、Ｃ，Ｍ，Ｙ）を作像するために、成分設定値に従い画像データが変換され、動作させるＰＣユニットに適合するプリンタガンマによる変換がかけられ、各色成分の作像用画像データが生成される。
このようにして、指定されたＰＣユニットが形成動作に用いられるので、ＫＣＭＹの中から任意に選択された色の印刷出力制御を行うことが可能になる。
また、第２優先色が設定されている場合、第１優先色のトナーがエンドになった際も、第２優先色でのファックス受信出力が可能である。このため、ユーザーがリアルタイムにトナーエンドを認識できない場合でも、リカバリーをすること無く、継続してファックス受信出力が可能となる。また、ファックス受信出力が、第１優先色と異なる画像形成色で印字出力されている場合に、ユーザーは、第１優先色のトナーエンドが発生していることを容易に認識できる。
【００１８】
次に示す実施形態は、上記実施形態で行った画像形成色の設定を、給紙トレイ単位で行うことを可能とするものである。
本実施形態では、複数の給紙トレイが装備されていることを前提として、給紙トレイ毎に画像形成色の設定を行うようにする。このような設定を可能としたことによって、記録媒体の給紙トレイに有色の記録媒体を用いた場合にも、読み易い画像形成色を選択することを可能にする。例えば、記録媒体と補色関係にある色を選択することにより、読み易い出力が得られる。
図５は、画像形成色を給紙トレイ単位で設定可能にした入力画面の１例を示す。
図５に示す入力画面は、ファックス機能に関する設定メニューの中に用意される。
この入力画面では、給紙トレイ毎に画像形成色の設定を行うようにするので、設定の対象となる給紙トレイを給紙トレイの送りキー９ａの操作により定め、「第１給紙トレイ」であれば、図示のような、「第１給紙トレイ」が表示された入力画面で設定操作を行う。
本実施形態の設定操作は、給紙トレイを指定し、「ブラック」，「シアン」，「マゼンタ」，「イエロー」の４色から画像形成色として使用する色を選択する操作を行う。この画像形成色の設定操作自体は、上記実施形態（図４参照）と同様の方法によって行うことが可能である。従って、上記実施形態（図４参照）を参照することとして、ここでは説明を省略する。
【００１９】
上記したファックス受信画像に対する画像形成色の設定操作が、給紙トレイ単位で行われると、制御システム（図１）のＣＰＵ１は、この操作による設定結果を、選択されたＫＣＭＹそれぞれのＰＣユニット３５Ｍ、３５Ｃ、３５Ｙ、３５Ｋに付設した不揮発性のメモリタグ３６Ｍ、３６Ｃ、３６Ｙ、３６Ｋに書き込み、管理する。このときに、ＫＣＭＹそれぞれのＰＣユニットに書き込まれる情報は、ＣＰＵ１が、指定された給紙トレイの記録媒体を用いてファックス受信画像の印刷出力を行う際に、選択された画像形成色のＰＣユニットに動作を指示する制御情報（受信ファックス出力可否情報）として用いられるものである。従って、この受信ファックス出力可否情報は、ＰＣユニット３５Ｍ、３５Ｃ、３５Ｙ、３５Ｋそれぞれの不揮発性のメモリタグで管理されている情報の一部に書き加えられる。
メモリタグで管理されるこの受信ファックス出力可否情報は、ＭＦＰ機の電源立ち上げ時に行われる初期設定で、ＣＰＵ１が用いる制御データとして、制御システム内の例えば、ＮＶ−ＲＡＭ３に転送、保存される。
【００２０】
制御システム内に保存された受信ファックス出力可否情報は、ファックス受信データの印刷出力が行われる時に、制御システムのＣＰＵ１が画像出力時に動作させるＰＣユニットを特定するために用いられる。このとき、ＣＰＵ１は、出力に用いる記録媒体がどの給紙トレイから供給されるかを認識し、給紙トレイ毎に指示された受信ファックス出力可否情報に従って、動作させるＰＣユニットを特定する。
動作させるＰＣユニットが特定されると、ＣＰＵ１は、特定されたＰＣユニットを動作させるために必要な画像データの処理をＧＡＶＤ１５に指示する。即ち、設定された印字色の各色成分（Ｋ、Ｃ，Ｍ，Ｙ）を作像するために、成分設定値に従い画像データが変換され、動作させるＰＣユニットに適合するプリンタガンマによる変換がかけられ、各色成分の作像用画像データが生成される。
このようにして、給紙トレイ毎に指定されたＰＣユニットが形成動作に用いられるので、有色の記録媒体を用いた場合にも、ＫＣＭＹの中から読み易さを考慮して選択された色の印刷出力制御を行うことが可能になる。
【図面の簡単な説明】
【００２１】
【図１】本発明の実施形態に係わるＭＦＰ機の制御システムの概略構成を示す図である。
【図２】本発明の実施形態に係わるＭＦＰ機の操作パネルの１例を示す。
【図３】４連ドラムのタンデム作像方式を採用したＰＣユニット周りの画像形成部の構成を示す。
【図４】ファックス受信画像に対する画像形成色を設定する入力画面の１例を示す。
【図５】ファックス受信画像に対する画像形成色を設定する入力画面の他の例を示す。
【符号の説明】
【００２２】
１・・ＣＰＵ、                      ３・・ＮＶ−ＲＡＭ、
９・・ＬＣＤタッチパネル、
３５Ｍ，３５Ｃ，３５Ｙ，３５Ｋ・・ＰＣ（プロセス カートリッジ）ユニット、
３６Ｍ，３６Ｃ，３６Ｙ，３６Ｋ・・メモリタグ。
【図１】
2006086919.tif 000003
【図２】
2006086919.tif 000004
【図３】
2006086919.tif 000005
【図４】
2006086919.tif 000006
【図５】
2006086919.tif 000007